(57)【特許請求の範囲】
【請求項１】
ケーシングに回転可能に保持された回転軸、前記回転軸に相対回転可能に支持されるとともに前記回転軸に対して静止状態に保持されたホルダ、前記ホルダに固定された樹脂製の取付けブラケット及び前記取付けブラケットに固定される測長バンドを備えた織機における緯糸測長貯留装置において、
前記ホルダの少なくとも一部が金属材料からなる金属部で形成され、
前記金属部は前記回転軸を介して接地され、
前記測長バンドを前記取付けブラケットに固定する導電性のボルト又は導電性のナットは、弾性変形部を備えたアース機構を介して前記金属部に接続されていることを特徴とする織機における緯糸測長貯留装置。
【請求項２】
前記アース機構は、前記ボルト又は前記ナットに内装された導電性のコイルばねと、前記コイルばねにより付勢された導電性のボールとにより構成され、前記ボールを前記金属部に接触させたことを特徴とする請求項１に記載の織機における緯糸測長貯留装置。
【請求項３】
前記コイルばねは、前記ボルトに内装されていることを特徴とする請求項２に記載の織機における緯糸測長貯留装置。
【請求項４】
前記コイルばねは、前記ナットに内装されていることを特徴とする請求項２に記載の織機における緯糸測長貯留装置。
【請求項５】
前記アース機構は、前記ナットに固定された導電性の板ばねで構成され、前記板ばねの先端部を前記金属部に接触させたことを特徴とする請求項１に記載の織機における緯糸測長貯留装置。
【請求項６】
前記アース機構は、前記ホルダに弾性変形部を介して取付けた金属板で構成され、前記金属板に前記ナットを接触させたことを特徴する請求項１に記載の織機における緯糸測長貯留装置。
【発明の詳細な説明】
【技術分野】
【０００１】
本願発明は、織機における緯糸測長貯留装置に関する。
【背景技術】
【０００２】
例えば、特許文献１には、送り羽根を備えた織機のドラム式緯糸測長貯留装置が開示されている。ドラム式緯糸測長貯留装置は、モータに連結したモータ軸にベアリングを介して相対回転可能に設けた支持材と、支持材に取付けた固定ホルダと、固定ホルダにねじ止めした固定羽根を備えている。モータ軸の先端側には、偏心ブッシュが設けられ、偏心ブッシュには、ベアリングを介して相対回転可能にホルダが設けられている。ホルダには、固定羽根の表面上に突出して緯糸の送り運動を行う送り羽根が固定されている。
【０００３】
固定羽根及び送り羽根は、円形に配列されて緯糸を巻き付ける測長ドラムを形成する。測長ドラムは、ドラム式緯糸測長貯留装置のケーシングに設けた磁石の吸引力により、モータ軸に対して静止状態となるように構成されている。また、固定羽根及び送り羽根は、それぞれ固定ホルダ及びホルダに対し、測長ドラムの径方向に移動調節可能にねじ止めされ、緯糸の巻き付け長さを調節することができる。
【先行技術文献】
【特許文献】
【０００４】
【特許文献１】特開２００６−１８３２２６号公報
【発明の概要】
【発明が解決しようとする課題】
【０００５】
特許文献１に開示される送り羽根を備えたドラム式緯糸測長貯留装置は、緯糸にフィラメント糸を使用する場合に多く用いられ、測長ドラムに巻かれたフィラメント糸が重なることによるフィラメント糸の損傷や引き出し抵抗の増加を防止している。また、緯糸の引き出し時に、フィラメント糸が測長ドラム上を円滑に滑走できるように固定羽根及び送り羽根は金属で形成されている。
【０００６】
フィラメント糸が測長ドラムに巻き付けられる時及び測長ドラムから引き出される時に、フィラメント糸と固定羽根及び送り羽根との間の摩擦により静電気が発生し、固定羽根及び送り羽根が帯電する。特に、フィラメント糸が樹脂からなる場合、金属である固定羽根及び送り羽根における帯電量が大きくなる。帯電した静電気は、固定羽根を取付ける固定ホルダ及び支持材が導電性を有する金属で形成されている場合、ベアリング、モータ軸及びモータ等を介して接地されていれば、問題を生じることはない。
【０００７】
しかし、支持材、固定ホルダ及び測長ドラムは、モータ軸に対して静止状態に保持する構成を必要とする。従って、静止手段としての磁石に対する負荷を小さくし、安定した静止状態を形成できるように、支持材、固定ホルダ及び測長ドラムの全体を軽量化する必要がある。一般的に、ドラム式緯糸測長貯留装置では、固定羽根を取付ける固定ホルダは、軽量化のために樹脂で成型されている場合が多い。このため、固定羽根と支持材との間は、樹脂製の固定ホルダにより絶縁され、静電気は固定羽根及び送り羽根に帯電したままになる。
【０００８】
固定羽根及び送り羽根に帯電した静電気は、測長ドラムに巻かれた緯糸に毛羽立ちを発生させる。測長ドラム上の緯糸は、毛羽立ちにより隣接する緯糸同士で付着し、緯糸の並びを悪くする。緯糸相互の付着や、緯糸の並びの悪化は、緯入れ時における緯糸の引き出し抵抗を増加させ、緯入れ不良を発生する大きな要因となる。また、帯電した静電気は、測長ドラムから引き出される緯糸の引き出し量をカウントする緯糸センサーのノイズ発生要因となる。緯糸センサーは、ノイズを緯糸引き出し時のバルーン数としてカウントするため、測長された緯糸の長さが短くなる。このため、織機は、緯入れ不良の発生による停止回数が増加し、稼働率が低下する。取付けブラケットを貫通して測長バンドとホルダとを接続するアース配線を設けることも考えられるが、測長バンドは貯留量調整のために移動されたり、交換のため取り外されたりするので、このような配線はこれらの作業を煩雑にする。
【０００９】
本願発明は、緯糸測長貯留装置の測長バンドの移動調整や交換等の作業を煩雑にすること無く、測長バンドにおける静電気の帯電を緩和することを目的とする。
【課題を解決するための手段】
【００１０】
請求項１は、ケーシングに回転可能に保持された回転軸、前記回転軸に相対回転可能に支持されるとともに前記回転軸に対して静止状態に保持されたホルダ、前記ホルダに固定された樹脂製の取付けブラケット及び前記取付けブラケットに固定される測長バンドを備えた織機における緯糸測長貯留装置において、前記ホルダの少なくとも一部が金属材料からなる金属部で形成され、前記金属部は前記回転軸を介して接地され、前記測長バンドを前記取付けブラケットに固定する導電性のボルト又は導電性のナットは、弾性変形部を備えたアース機構を介して前記金属部に接続されていることを特徴とする。
【００１１】
請求項１によれば、測長バンドは、アース機構及びホルダの金属部を介して接地されるため、測長バンドにおける帯電を緩和することができる。このため、請求項１の発明は、静電気の影響による貯留された緯糸の毛羽立ちや緯糸相互の絡み付きによる引き出し抵抗の増大を防止し、緯入れ不良の発生を抑制できる。また、緯入れを制御する緯糸センサーや電磁ピンの動作不良の発生を防止し、緯糸測長貯留装置における測長貯留機能の低下を防止することができる。さらに、測長バンドを取付けブラケットに固定する導電性のナットを利用するので、取付けブラケットを貫通して測長バンドとホルダの金属部とを接続するアース配線を設ける必要が無い。加えて、ボルト又はナットとホルダの金属部との間に弾性変形部を備えたアース機構を介しているので、ボルトの締付け度合いの違いで接地が不安定になることが防止される。
【００１２】
請求項２は、前記アース機構は、前記ボルト又は前記ナットに内装された導電性のコイルばねと、前記コイルばねにより付勢された導電性のボールとにより構成され、前記ボールを前記金属部に接触させたことを特徴とする。請求項２によれば、コイルばねとボールを備えた市販のボルトの使用やナットに孔を設けるだけの簡単な構成でアース機構を構成することができる。また、緯糸貯留量調整のために測長バンドを移動させる場合、コイルばねによりボールがホルダの金属部に圧接されていても、ボールが転動することで円滑に測長バンドを移動させることができる。
【００１３】
請求項３は、請求項２において、前記コイルばねは、前記ボルトに内装されていることを特徴とする。請求項３によれば、測長バンドを移動させるためにボルトを緩めると、コイルばねがボールをホルダの金属部へ付勢する力が弱まるので、測長バンドの移動を容易に行うことができる。
【００１４】
請求項４は、請求項２において、前記コイルばねは、前記ナットに内装されていることを特徴とする。請求項４によれば、ボールがホルダに圧接しているため、ボルトをナットから外してもネットの位置が保持され、測長バンドの交換作業を容易に行うことができる。
【００１５】
請求項５は、前記アース機構は、前記ナットに固定された導電性の板ばねで構成され、前記板ばねの先端部を前記金属部に接触させたことを特徴とする。請求項５によれば、ナットに取付けた板ばねの先端部がホルダに圧接しているため、ボルトをナットから外してもナットの位置が保持され、測長バンドの交換作業を容易に行うことができる。また、部品点数が少なくなるため、構成が簡素化する。
【００１６】
請求項６は、前記アース機構は、前記ホルダに弾性変形部を介して取付けた金属板で構成され、前記金属板に前記ナットを接触させたことを特徴とする。請求項６によれば、弾性機能を有する金属板にナットを接触させているため、金属板との接触面積を大きくすることができ、静電気の導電機能及び信頼性を高めることができる。また、ナットは金属板の弾性機能により取付けブラケットに圧接された状態にあるため、ボルトをナットから外してもナットの位置が保持され、測長バンドの交換作業を容易に行うことができる。
【発明の効果】
【００１７】
本願発明は、緯糸測長貯留装置の測長バンドの移動調整や交換等の作業を煩雑にすること無く、測長バンドにおける静電気の帯電を緩和することができる。
【図面の簡単な説明】
【００１８】
【図１】第１の実施形態を示す緯糸測長貯留装置の断面側面図である。
【図２】取付けブラケットに取付けた測長バンドを示す断面正面図である。
【図３】アース機構を示す断面図である。
【図４】取付けブラケットの背面図である。
【図５】第２の実施形態におけるアース機構を示す断面図である。
【図６】第３の実施形態におけるアース機構を示す断面図である。
【図７】第４の実施形態におけるアース機構を示す断面図である。
【図８】第５の実施形態におけるアース機構を示す断面図である。
【図９】第６の実施形態を示す緯糸測長貯留装置の断面側面図である。
【発明を実施するための形態】
【００１９】
（第１の実施形態）
第１の実施形態を図１〜図４に基づいて説明する。図１に示した緯糸測長貯留装置において、金属製の中空の回転軸１は、フレーム（図示せず）に回転可能に軸受され、図示しないモータにより駆動される。また、回転軸１は、モータ及びフレームを介して接地されている。回転軸１は、回転軸１と交差する方向に延出する中空の緯糸巻付け管２を備える。回転軸１及び緯糸巻付け管２は中空部が連通するように構成され、図示しない給糸部から引き出された緯糸Ｙが回転軸１及び緯糸巻付け管２の中空部に引き通されている。回転軸１には、金属製の円形のホルダ３が軸受４を介して相対回転可能に支持されている。従って、ホルダ３は、全体が本願発明における金属部となる。ホルダ３は、外周に、回転軸１の長手方向に突出する環状の周縁部５を有する。ホルダ３の周縁部５に被さるようにして、樹脂製の円形の取付けブラケット６がホルダ３に固定されている。
【００２０】
図２及び図４に示されるように、取付けブラケット６は、中央に回転軸１が貫通される孔７を有し、外周にホルダ３の周縁部５に被さる環状の周縁部８を有する。取付けブラケット６には、半径方向に延び、十字状に配列される４本の長孔９が形成され、各長孔９に沿って、目盛１０（図２参照）が刻設されている。取付けブラケット６の目盛１０が刻設されている面とは反対側の面（背面）には、各長孔９を挟んで一対の突起部１１（図４参照）が形成されている。
【００２１】
緯糸Ｙの貯留ドラム１２はそれぞれが弧状に形成された４片の測長バンド１３を環状に配列することにより構成されている。測長バンド１３は、均一な厚みに形成された金属製の弧状の板材で構成され、脚部１４と、緯糸Ｙを案内する斜状の案内部１５と、緯糸Ｙを貯留する貯留部１６とを有する。
【００２２】
各測長バンド１３の脚部１４は、取付けブラケット６の長孔９を貫通するボルト１７及びナット１８により取付けブラケット６に固定される。ボルト１７は金属であり、導電性を有する。なお、ナット１８は、取付けブラケット６の背面の一対の突起部１１の間に配置され、ボルト１７の締付け時及び緩め時に突起部１１により回り止めされる。
【００２３】
ボルト１７を緩め、取付けブラケット６に刻設された目盛１０に合わせて取付けブラケット６の半径方向（長孔９の長手方向）に各測長バンド１３を移動調整することにより、貯留ドラム１２の径を変更することができる。貯留ドラム１２の径の変更により、織成条件に応じて緯糸Ｙの貯留量を調整することができる。
【００２４】
図３に示すように、測長バンド１３を取付けブラケット６に固定するボルト１７は、中空のねじ軸１９を有し、ねじ軸１９の中空内にコイルばね（弾性変形部）２０及びボール（接触部材）２１を備えている。コイルばね２０及びボール２１は金属であり、導電性を有する。ボルト１７のねじ軸１９をナット１８に締付け、測長バンド１３の脚部１４を取付けブラケット６に固定した時、コイルばね２０により付勢されているボール２１は、ホルダ３に弾性的に接触する。ボルト１７のねじ軸１９に内装されたコイルばね２０及びボール２１は、本願発明のアース機構２２を構成する。
【００２５】
測長バンド１３の案内部１５は回転軸１の中心軸線Ｘ１に向けて傾斜している。従って、緯糸巻付け管２によって案内部１５の外周面に巻き付けられた緯糸Ｙは案内部１５の傾斜面を順次滑落していく。貯留部１６はその外周に案内部１５の最小径部と同一の曲率半径の湾曲面を有し、案内部１５に連続して回転軸１の中心軸線Ｘ１に平行となるように、緯糸Ｙの引き出し方向に延出されている。測長バンド１３の貯留部１６には、貯留ドラム１２の半径方向に貫通し、かつ緯糸Ｙの引き出し方向に延びる計６個の挿通孔２３が穿設されている。各挿通孔２３は案内部１５の一部まで延びている。
【００２６】
各測長バンド１３において、各挿通孔２３は、貯留ドラム１２の後述する送り羽根３６と対応する位置に穿設されている（図２参照）。案内部１５を滑落した緯糸Ｙは、貯留部１６の外周面に列状に貯留される。貯留部１６の外周面は、緯糸Ｙの引き出し方向に若干縮径あるいは拡径する傾斜面で形成することも可能である。
【００２７】
回転軸１の先端側（図１の右側）に位置する小径軸２４には、緯糸送り機構２５の駆動部を構成するスリーブ２６が嵌合され、ボルト２７により固定されている。スリーブ２６はその偏心軸線Ｘ２が回転軸１の中心軸線Ｘ１に対して偏心するとともに緯糸Ｙの引き出し方向に傾斜した形状で構成されている。スリーブ２６の外周面には、フランジを有する筒２８が軸受２９を介して相対回転可能に嵌合されている。
【００２８】
筒２８のフランジには、プレート３０がボルト３１により固定されている。プレート３０の中心部は筒２８を覆う蓋の役目をしている。プレート３０には、各測長バンド１３に対応した４つのブラケット３２が固定されている。ブラケット３２は金属材料でＬ字状に形成され、垂直部３３及び水平部３４を有する。垂直部３３は半径方向の位置調整が可能なようにボルト３５によりプレート３０に固定され、水平部３４にはそれぞれ送り羽根３６がボルト３７により固定されている。
【００２９】
送り羽根３６は金属であり、各送り羽根３６は、貯留ドラム１２の内側で各測長バンド１３の挿通孔２３に対向して配置され、測長バンド１３の外周に出没できる。各送り羽根３６の出没動作は、測長バンド１３に巻かれた緯糸Ｙを引き出し方向に順送りし、貯留ドラム１２上に緯糸Ｙを一定の間隔を持たせて貯留することができる。
【００３０】
ホルダ３には、リング３８がボルト３９によって固定されており、リング３８の外周面と筒２８のフランジの外周面とに、ゴムや樹脂等の可撓性材料で構成された遮蔽筒４０の両端部がそれぞれ嵌合され、締付バンド４１によって固定されている。遮蔽筒４０は前後方向への弾性変形及び半径方向への弾性変形が可能で、円周方向へ捻る力に対しては抵抗力を有し、ホルダ３と筒２８の相対回転が阻止される。
【００３１】
貯留ドラム１２を構成する４片の測長バンド１３のうち、上方に配置された測長バンド１３には、貯留部１６の緯糸引き出し側の外周面に有底の挿入孔４２が形成されている。挿入孔４２は電磁ソレノイド４３により作動する電磁ピン４４の進入、退出を許容する。緯糸Ｙの引き出しを許容する電磁ピン４４の退出動作は、制御装置（図示せず）からの予め設定されたタイミング信号により制御される。緯糸Ｙの引き出しを停止する電磁ピン４４の進入動作は、図示しない緯糸センサーによりカウントされた緯糸Ｙのバルーン数に基づき制御される。
【００３２】
ホルダ３の外周には、複数の永久磁石４５がケーシング４６に設けた複数の永久磁石４７と対向して設けられている。ケーシング４６は、図示しないフレームに固定されている。ホルダ３は、永久磁石４５と永久磁石４７との吸引力により、回転軸１の回転に対して静止状態に保持される。
【００３３】
織機が起動され、製織運転が開始されると、緯糸測長貯留装置では、回転軸１が回転されて緯糸巻付け管２から緯糸Ｙが送出される。電磁ピン４４が測長バンド１３に進入状態の時、貯留ドラム１２の測長バンド１３に、緯糸Ｙが巻付けられ、貯留される。同時に、送り羽根３６が測長バンド１３の外周面から出没して緯糸Ｙの巻付け間隔を一定となるように揃えていく。貯留ドラム１２に貯留された緯糸Ｙは、電磁ピン４４の退出により貯留ドラム１２から引き出され、緯入れされる。
【００３４】
緯糸測長貯留装置の作動中、緯糸巻付け管２から送出される緯糸Ｙと、測長バンド１３及び送り羽根３６との接触摩擦により静電気が発生する。静電気は測長バンド１３及び送り羽根３６に帯電するが、測長バンド１３に帯電した静電気は測長バンド１３を固定するボルト１７、アース機構２２として構成されたコイルばね２０及びボール２１を介してホルダ３に導電される。
【００３５】
このため、測長バンド１３における静電気の帯電が緩和され、緯糸Ｙ及び緯糸センサーに対する静電気の影響が防止される。ホルダ３は、軸受４及び回転軸１を介して接地されている。なお、送り羽根３６は、プレート３０、筒２８、軸受２９、スリーブ２６、小径軸２４及び回転軸１を介して接地されている。
【００３６】
第１の実施形態は、測長バンド１３が、コイルばね２０とボール２１とから構成されたアース機構２２及びホルダ３を介して接地されるため、測長バンド１３における帯電を緩和することができる。このため、貯留された緯糸Ｙの毛羽立ちや緯糸Ｙ相互の絡み付きによる引き出し抵抗の増大を防止し、緯入れ不良の発生を抑制できる。また、緯入れを制御する緯糸センサーや電磁ピン４４の動作不良の発生を防止し、緯糸測長貯留装置における測長貯留機能の低下を防止することができる。測長バンド１３を取付けブラケット６に固定する導電性のボルト１７を利用するので、取付けブラケット６を貫通して測長バンド１３とホルダ３とを接続するアース配線を設ける必要が無い。加えて、ボルト１７とホルダ３との間にアース機構２２としてのコイルばね２０及びボール２１を介しているので、ボルト１７の締付け度合いの違いで接地が不安定になることが防止される。
【００３７】
第１の実施形態では、測長バンド１３の帯電を十分に緩和できるため、静電気の影響を受け易い種類のフィラメント糸でも自由に使用することができる。また、コイルばね２０及びボール２１を備えたボルト１７は、市販品であるボールプランジャボルトを利用できるため、アース機構２２を簡単に構成することができる。さらに、接触部材がボール２１であるため、測長バンド１３を移動調整する際に、コイルばね２０によりボール２１がホルダ３に圧接されていても、ボール２１が転動することにより測長バンド１３を円滑に移動させることができる。
【００３８】
（第２の実施形態）
図５は第２の実施形態を示したもので、第１の実施形態と同一の構成については同一の符号にて説明し、詳細な説明を省略する。第２の実施形態は、測長バンド１３を取付けブラケット６に固定するボルト４８と締着するナット４９に、コイルばね５２（弾性変形部）及びボール５３（接触部材）からなるアース機構５０を設けた構成である。ボルト４８及びナット４９は、金属等の導電性を有する材料で形成されている。
【００３９】
ナット４９には、ねじ孔の周囲に１又は複数の貫通孔５１が形成されている。貫通孔５１の内部には、アース機構５０を構成するコイルばね５２及びボール５３が内装されている。測長バンド１３の脚部１４がボルト４８とナット４９の締着により取付けブラケット６に固定された時、コイルばね５２により付勢されたボール５３は、ホルダ３に圧接されている。コイルばね５２及びボール５３は、金属で形成されており、導電性を有する。
【００４０】
緯糸測長貯留装置の作動中、緯糸Ｙとの接触摩擦により測長バンド１３に帯電した静電気は、ボルト４８、ナット４９、アース機構５０のコイルばね５２及びボール５３を介してホルダ３に導電される。ホルダ３は、回転軸１を介して接地されており、測長バンド１３における静電気の帯電が緩和される。
【００４１】
第２の実施形態は、測長バンド１３を固定するナット４９に貫通孔５１を形成し、貫通孔５１にコイルばね５２及びボール５３を内装するのみで、アース機構５０を簡単に構成することができ、測長バンド１３における静電気の帯電を緩和することができる。また、第２の実施形態では、ナット４９を取付けブラケット６の一対の突起部１１の間に配置した時、コイルばね５２の付勢力により、ナット４９及びボール５３が取付けブラケット６及びホルダ３に圧接され、ナット４９の位置が保持される。従って、例えば、測長バンド１３の交換作業時にボルト４８をナット４９から外した時、ナット４９の位置が保持されているため、新しい測長バンド１３の取付け作業を簡単に行うことができる。
【００４２】
（第３の実施形態）
図６は第３の実施形態を示したもので、第１の実施形態と同一の構成については同一の符号にて説明し、詳細な説明を省略する。第３の実施形態は、測長バンド１３の脚部１４がボルト５４及びナット５５により、取付けブラケット６に固定される。ナット５５には、板ばね５６が巻き付けられ、固定されている。板ばね５６は、ナット５５の一方の周面（図６における上側面）から側面（図６における右側面）及び他方の周面（図６における下側面）に亘ってナット５５に巻き付けられ、板ばね５６の基端部５７が折り曲げられてナット５５の反対側の側面（図６における左側面）に僅かに巻かれている。板ばね５６の先端部５８は、ナット５５からホルダ３に向けて突出され、僅かに折り曲げられてホルダ３に圧接されている。板ばね５６の一部には、ボルト５４の貫通する孔５９が形成されている。ボルト５４、ナット５５及び板ばね５６は金属であり、導電性を有する。本実施形態では、板ばね５６が本願発明のアース機構を構成している。また、板ばね５６の先端部５８が弾性変形部を構成している。
【００４３】
板ばね５６の先端部５８は板ばね５６の弾性力によりホルダ３に圧接される。従って、緯糸測長貯留装置の作動中、緯糸Ｙとの接触摩擦により測長バンド１３に帯電した静電気は、ボルト５４、ナット５５及びアース機構としての板ばね５６を介してホルダ３に導電される。ホルダ３は、回転軸１を介して接地され、測長バンド１３における静電気の帯電が緩和される。
【００４４】
第３の実施形態は、ボルト５４、ナット５５及び板ばね５６を介して測長バンド１３に帯電した静電気をホルダ３に導電することができ、測長バンド１３における静電気の帯電を緩和することができる。また、ナット５５を取付けブラケット６の一対の突起部１１の間に配置した時、板ばね５６の弾性力により、板ばね５６の先端部５８及びナット５５がホルダ３の側面及び取付けブラケット６の側面に圧接され、ナット５５の位置が保持される。従って、測長バンド１３の交換作業時にボルト５４をナット５５から外した時、ナット５５の位置が保持されているため、新しい測長バンド１３の取付け作業を簡単に行うことができる。また、第１及び第２の実施形態と比較して、部品点数が少なくなり、構成が簡素となる。
【００４５】
（第４の実施形態）
図７は第４の実施形態を示したもので、第１の実施形態と同一の構成については同一の符号にて説明し、詳細な説明を省略する。第４の実施形態は、ホルダ３と取付けブラケット６との間に金属板６０を配設した構成である。金属板６０は、長方形の板材で形成され、各測長バンド１３に対応して４箇所に配置されている。金属板６０の一方の端部（ホルダ３の外周側）と他方の端部（ホルダ３の中心側）の２箇所には、コイルばね６１、６２（弾性変形部）が溶着されている。コイルばね６１、６２は金属であり、導電性を有している。
【００４６】
ホルダ３の側面には、コイルばね６１、６２を収容する有底の挿入孔６３、６４が形成されている。コイルばね６１、６２が挿入孔６３、６４に収容されることにより、金属板６０は測長バンド１３と対応した位置に弾性的に取付けられる。第４の実施形態では、金属板６０及びコイルばね６１、６２がアース機構６５を構成している。
【００４７】
測長バンド１３を取付けブラケット６に固定するボルト６６が、取付けブラケット６の一対の突起部１１間に配置されたナット６７と締着された時、ナット６７は金属板６０の側面に当接し、金属板６０をコイルばね６１、６２に抗して押圧する。従って、ナット６７はコイルばね６１、６２の付勢力により金属板６０に圧接した状態となる。なお、ボルト６６及びナット６７は金属であり、導電性を有している。
【００４８】
緯糸測長貯留装置の作動中、緯糸Ｙとの接触摩擦により測長バンド１３に帯電した静電気は、ボルト６６、ナット６７、アース機構６５を構成する金属板６０及びコイルばね６１、６２を介してホルダ３に導電される。ホルダ３は、回転軸１を介して接地されており、測長バンド１３における静電気の帯電が緩和される。
【００４９】
第４の実施形態では、コイルばね６１、６２により弾性機能を持たせた金属板６０にナット６７を接触させているため、金属板６０との接触面積を大きくすることができ、静電気の導電機能及び信頼性を高めることができる。また、ナット６７は金属板６０の弾性機能により取付けブラケット６に圧接された状態にあるため、ボルト６６をナット６７から外してもナット６７の位置が保持され、測長バンド１３の交換作業を容易に行うことができる。また、第１〜第３の実施形態と比較して、測長バンド１３を取付けブラケット６に固定するボルト６６やナット６７に特別な構成を付加する必要が無く、構成が簡素となる。
【００５０】
（第５の実施形態）
図８は第５の実施形態を示したもので、第１の実施形態と同一の構成については同一の符号にて説明し、詳細な説明を省略する。第５の実施形態は、ホルダ３と取付けブラケット６との間に、板ばね６８を配設した構成である。板ばね６８は、長方形の金属板で形成され、各測長バンド１３に対応するように４箇所に配置されている。板ばね６８は、両端部にＵ字状に屈曲させた鉤部６９、７０（弾性変形部）を有する。ホルダ３の側面には、Ｌ字型の鉤孔７１、７２が形成されている。板ばね６８は、鉤部６９、７０をホルダ３の鉤孔７１、７２に挿入して引掛けることにより、測長バンド１３と対応した位置に保持される。
【００５１】
ナット７４は板ばね６８に当接し、板ばね６８の鉤部６９、７０の弾性力により板ばね６８に押圧される。従って、ナット７４は板ばね６８と圧接した状態になる。ボルト７３、ナット７４及び板ばね６８は金属であり、導電性を有する。緯糸測長貯留装置の作動中、緯糸Ｙとの接触摩擦により測長バンド１３に帯電した静電気は、ボルト７３、ナット７４、アース機構である板ばね６８を介してホルダ３に導電される。ホルダ３は、回転軸１を介して接地されており、測長バンド１３における静電気の帯電が緩和される。
【００５２】
第５の実施形態では、弾性機能を有する板ばね６８にナット７４を接触させているため、板ばね６８との接触面積を大きくすることができ、静電気の導電機能及び信頼性を高めることができる。また、ナット７４は板ばね６８の弾性機能により取付けブラケット６に圧接された状態にあるため、ボルト７３をナット７４から外してもナット７４の位置が保持され、測長バンド１３の交換作業を容易に行うことができる。また、第４の実施形態と比較して、部品点数が少なくなり、構成が簡素となる。
【００５３】
（第６の実施形態）
図９は第６の実施形態を示したもので、第１の実施形態と同一の構成については同一の符号にて説明し、詳細な説明を省略する。第６の実施形態は、第１の実施形態に示した緯糸送り機構２５を備えていない緯糸測長貯留装置に本願発明を実施した構成である。
【００５４】
バンド基部７５は、樹脂で成型され、第１の実施形態における脚部１４、案内部１５、貯留部１６を備えた測長バンド１３と同様な形状を有する（但し、挿通孔２３は備えていない）。バンド基部７５は、脚部７６を導電性のボルト１７によって取付けブラケット６に固定されている。バンド基部７５には、バンド基部７５に嵌合する形状に形成した金属製ワイヤ７７が一体的に装着されている。金属製ワイヤ７７は、バンド基部７５に対して複数本並べて配置されている。バンド基部７５と金属製ワイヤ７７とで測長バンド７９が構成されている。
【００５５】
バンド基部７５の脚部７６を取付けブラケット６に固定するボルト１７は、第１の実施形態と同一の構成を有し、中空のねじ軸１９に内装したコイルばね２０及びボール２１からなるアース機構２２を備えている。ボルト１７は、金属製のワッシャ７８を介在してナット１８に締着されている。バンド基部７５に沿って装着されている金属製ワイヤ７７は、ワッシャ７８と接続するように構成されている。
【００５６】
緯糸測長貯留装置の作動中、緯糸Ｙとの接触摩擦により金属製ワイヤ７７に帯電した静電気は、ワッシャ７８、ボルト１７、アース機構２２として構成されたコイルばね２０及びボール２１を介してホルダ３に導電される。ホルダ３は、回転軸１を介して接地されており、測長バンド７９における静電気の帯電が緩和される。
【００５７】
第６の実施形態では、樹脂製のバンド基部７５に金属製ワイヤ７７を装着して測長バンド７９を構成した緯糸測長貯留装置において、金属製ワイヤ７７に帯電した静電気は、アース機構２２を介してホルダ３に導電され、金属製ワイヤ７７における静電気の帯電を緩和することができる。
【００５８】
本願発明は、前記した各実施形態の構成に限定されるものではなく、本願発明の趣旨の範囲内で種々の変更が可能であり、次のように実施することができる。
【００５９】
（１）第１〜第６の実施形態において、ホルダ３は、全体を金属材料で形成する必要は無く、ホルダ３の一部を金属材料により形成し、少なくともホルダ３の一部に金属部を備えるように構成しても良い。この場合、ボール（接触部材）２１、５３、板ばね５６、金属板６０と一体のコイルばね６１、６２、板ばね６８及び軸受４は、ホルダ３の金属部に接続する構成とする。
【００６０】
（２）第１、第２及び第６の実施形態において、ボール２１、５３は、円柱、楕円柱、角柱等の柱状の形状の接触部材でも良い。
（３）第３の実施形態において、板ばね５６は、接着あるいはねじ止め等の他の手段によりナット５５に固定しても良い。
（４）第４及び第５の実施形態は、金属板６０、板ばね６８に、導電性を有するボルト６６、７３のねじ軸を当接させるように構成しても良い。
【００６１】
（５）第４及び第５の実施形態において、金属板６０、板ばね６８は、円形又は角形等の１枚の板により形成し、１枚の板により４つの測長バンド１３に対応するように構成しても良い。
（６）第６の実施形態において、アース機構２２は、第２〜第５の実施形態に示したアース機構５０、５６、６５、６８に置き換えることができる。
（７）第１〜第６の実施形態において、取付けブラケット６は、円形に限らず、十字形（測長バンド１３、７５が４つの場合）あるいは複数の長方形の板材で構成し、測長バンド１３、７５に対応させても良い。
【００６２】
（８）第２〜第５の実施形態は、ナット４９、５５、６７、７４に、取付けブラケット６の長孔９を通して測長バンド１３と接触する凸部を形成し、測長バンド１３に帯電した静電気を、ボルト４８、５４、６６、７３を介さずにナット４９、５５、６７、７４からホルダ３へ導電するように構成しても良い。
【符号の説明】
【００６３】
１  回転軸
２  緯糸巻付け管
３  ホルダ
４  軸受
６  取付けブラケット
９  長孔
１２  貯留ドラム
１３、７９  測長バンド
１４、７６  脚部
１５  案内部
１６  貯留部
１７、４８、５４、６６、７３  ボルト
１８、４９、５５、６７、７４  ナット
２０、５２、６１、６２  コイルばね（弾性変形部）
２１、５３  ボール（接触部材）
２２、５０、６５  アース機構
２５  緯糸送り機構
４４  電磁ピン
５１  貫通孔
５６、６８  板ばね（アース機構）
６０  金属板
６３、６４  挿入孔
６９、７０  鉤部（弾性変形部）
７１、７２  鉤孔
７７  金属製ワイヤ
７８  ワッシャ
【図１】
0006314858.tif 000002
【図２】
0006314858.tif 000003
【図３】
0006314858.tif 000004
【図４】
0006314858.tif 000005
【図５】
0006314858.tif 000006
【図６】
0006314858.tif 000007
【図７】
0006314858.tif 000008
【図８】
0006314858.tif 000009
【図９】
0006314858.tif 000010